(57)【特許請求の範囲】
【請求項１】
柄の先端に払掃体を備えた箒と、柄の先端に、先端部がごみを掃き込むための掃込口となった皿状のごみ受け部を一体に備えた塵取りとで構成され、
上記塵取りの柄が開閉自在の筒状をしていて、開放した該柄内に箒の柄を挿入して閉じることにより、これらの箒と塵取りとが着脱自在に結合されていることを特徴とする箒付き塵取り。
【請求項２】
請求項１に記載の箒付き塵取りにおいて、上記塵取りのごみ受け部が、掃込口を除く周縁部分に上向きに立ち上がった側壁を有し、該側壁の先端部の高さが、掃込口を下にして塵取りを自立させ得る大きさであるもの。
【請求項３】
請求項１または請求項２に記載の箒付き塵取りにおいて、上記箒の柄が、塵取りの柄に係止する突部を有するもの。
【発明の詳細な説明】
【０００１】
【発明の属する技術分野】
本発明は、塵取りの柄に箒の柄を着脱自在に結合してなる箒付き塵取りに関するものである。
【０００２】
【従来の技術】
従来より、塵取りの柄と箒の柄とを着脱自在に結合してなる箒付き塵取りは広く知られており、この箒付き塵取りは、清掃時には箒と塵取りとを分離して使用し、清掃が終わると再び箒を塵取りに取付けて両者一体のまま保管するものである。
この種の箒付き塵取りは、一般に、塵取りの柄が半筒状をしていて、この半筒状の柄の中に箒の柄を弾力的に嵌着するようにしているが、このような半筒状の柄は持ちにくく、握って清掃している間に尖った縁の部分で手が痛くなるなどの欠点があった。しかも、箒を塵取りから分離した場合に柄の窪みが正面に露出するため、外観上の体裁が悪いという問題もあった。更に、箒の柄を単に塵取りの柄の中に弾力的に嵌着しているだけであるため、外れ易く、保管や持ち運びに不便であった。
また、従来の箒付き塵取りは、それを保管する場合に、両者一体のまま壁に立てかけたり、あるいは、床に寝かせた状態に置かなければならないなど、思いのほか保管方法に困る場合が多く、また、そのような状態で保管すると、保管場所をとる上に、周囲の美観も損ねるという欠点があった。
【０００３】
【発明が解決しようとする課題】
本発明の主要な技術的課題は、塵取りの柄に箒の柄を着脱自在に結合した箒付き塵取りにおいて、上記塵取りの柄を、把持し易くしかも箒の柄を確実かつ体裁よく結合できるようにすることにある。
本発明の他の技術的課題は、塵取りに取付けた箒が外れにくい箒付き塵取りを提供することにある。
本発明のさらに他の技術的課題は、保管の際に、周囲の美観を損ねることがなく、且つ保管場所をあまりとらない箒付き塵取りを提供することにある。
【０００４】
【課題を解決するための手段】
上記課題を解決するため、本発明の箒付き塵取りは、棒の先端に払掃体を備えた箒と、柄の先端に、先端部がごみを掃き込むための掃込口となった皿状のごみ受け部を一体に備えた塵取りとで構成され、上記塵取りの柄が開閉自在の筒状をしていて、開放した該柄内に箒の柄を挿入して閉じることにより、これらの箒と塵取りとが着脱自在に結合されていることを特徴とするものである。
【０００５】
上記構成の箒付き塵取りは、その収納時に、上記筒状をした塵取りの柄を開いて箒の柄を挿入し、その後に該塵取りの柄を閉じることにより、これらの塵取りと箒とを一体に結合する。
このとき、上記塵取りの柄を開閉自在の筒状としたので、上記箒の柄を該塵取りの柄の内部に挿入することで、該箒の柄を塵取りの柄内にしっかりと確実に保持させることができると共に、それらの柄を体裁よく結合することができる。
清掃を行う際には、上記塵取りの柄を開いて箒を外し、再び塵取りの柄を閉じた状態で清掃する。これにより、塵取りの柄は筒となるため把持し易く、外観上の体裁もよい。
【０００６】
本発明においては、上記塵取りのごみ受け部が、掃込口を除く周縁部分に上向きに立ち上がった側壁を有し、該側壁の先端部の高さが、掃込口を下にして塵取りを自立させ得る大きさであることが望ましい。
これにより、この箒付き塵取りを保管する場合に、小さなスペースに立てて収納することができるため、従来のように箒と塵取りとを両者一体のまま壁に立てかけたり、床に寝かせた状態に置いたりする必要がなく、保管場所をあまりとらない。しかも、周囲の美観を損ねることもない。
上記箒の柄が、塵取りの柄に係止する突部を有するものとすることができる。さらに、本発明においては、上記箒の柄が、塵取りの柄に係止する突部を有することが望ましく、これにより、箒と塵取りとを一層確実かつ安定的に結合することができる。
【０００７】
【発明の実施の形態】
図１乃至図３は本発明の箒付き塵取りの一実施例を示すもので、この実施例の箒付き塵取りは、把持用の柄３の先端にごみを掃き込むための皿状のごみ受け部４を一体に備えた合成樹脂製の塵取り１と、把持用の柄５の先端に払掃体６を備えた箒２とから構成されている。
【０００８】
上記塵取りの柄３は筒状に形成され、その一部が蓋部３ａとして蝶番８により開閉自在となっており、この柄３内に上記箒の柄５を挿入して蓋部３ａを閉じることにより、これらの塵取り１と箒２とが着脱自在に結合されている。
上記塵取り１のごみ受け部４は、先端部がごみの掃込口４ｂとなっていて、この掃込口４ｂを除く周縁部分に上向きに立ち上がった側壁４ａを有し、該側壁４ａの先端部の高さｈが、上記掃込口４ｂを下にして塵取りを自立させ得るような大きさに形成されている。
【０００９】
また、上記箒２の柄５には、該柄５を塵取り１の柄３内に嵌入したとき該柄３の上端部に係止する突部７が設けられ、この突部７が柄３に係止することによって箒２の取り付け状態が安定するようになっている。
【００１０】
上記構成を有する箒付き塵取りは、保管の際に、塵取り１のごみ受け部４内に箒２の払掃体６を収容して重ね合わせると共に、塵取りの柄３の蓋部３ａを開いて該柄３内に箒の柄５を挿入し、その後に該蓋部３を閉じることにより、塵取り１と箒２とを一体に結合する。そして、その状態で上記掃込口４ｂを下にして自立させて保管する。
【００１１】
このとき、上記塵取りの柄３を開閉自在の筒状としたので、上記箒の柄５を該塵取りの柄３の内部に挿入することで、該箒の柄５を塵取りの柄３内にしっかりと確実に保持させることができる。
また、塵取り１と箒２との柄３，５同士を結合した部分が外部に露出することがないので、それらの柄を体裁よく結合することができ、全体としての美観に勝れる。
しかも、小さなスペースに立てて収納することができるため、従来のように箒と塵取りとを両者一体のまま壁に立てかけたり、床に寝かせた状態に置いたりする必要がなく、保管場所をあまりとらない。
さらに、上記箒の柄５に塵取りの柄３に係止する突部７を設けたことにより、該柄５が塵取りの柄３内を不必要に移動したり落脱することがないので、箒２を塵取り１に確実に結合することができる。
【００１２】
清掃を行う際には、上記塵取りの柄３の蓋部３ａを開いて箒２を取り外し、再び該蓋部３ａを閉じた状態にして、分離した塵取り１と箒２とを使用して清掃する。
この結果、塵取りの柄３は筒となるため把持し易く、従来のように尖った縁の部分で手が痛くなるといったことがなく、外観上の体裁も良い。
【００１３】
上記塵取りの柄３は、その内部に箒の柄５を弾性的に嵌着することができる構成であってもよく、それにより、該箒の柄５は塵取りの柄３の内部により確実に取付けられる。
また、上記塵取りの柄３の断面形状は、箒の柄５を挿入することができる筒状のものであればどのような形状でもよく、円筒形でも、楕円筒形でも、図４に示すように半円筒形で蓋部３ａが平板形をしたものであっても良い。
【００１４】
【発明の効果】
以上に詳述したように、本発明の箒付き塵取りによれば、塵取りの柄を開閉自在の筒状としたので、箒の柄を該塵取りの柄の内部に挿入することで、該箒の柄が塵取りの柄内にしっかり保持され、それにより、箒を塵取りに簡単且つ確実に取付けることができ、また、箒の柄が結合部分において外部に露出することがないので、全体としての美観にも勝れる。
さらに、上記塵取りと箒とを分離して清掃する場合でも、該塵取りの柄は筒であるため握り易く、半筒形の柄を有する従来品のように、尖った縁の部分で手が痛くなるといったことがなく、使い易い。
また、上記塵取りが、ごみ掃込口を下にして自立可能となっているので、部屋や物置の隅の小さなスペースに立てて収納することができ、保管場所をあまり取らず、収納時の体裁も良い。
【図面の簡単な説明】
【図１】本発明に係る箒付き塵取りの一実施例を示す正面図である。
【図２】図１のＡ−Ａ線での断面図である。
【図３】図１のＢ−Ｂ線での拡大断面図である。
【図４】図１の箒付き塵取りの異なる実施例を示す図３と同位置での拡大断面図である。
【符号の説明】
１  塵取り                          ２  箒
３，５  柄                          ４  ごみ受け部
４ａ  側壁                          ４ｂ  掃込口
６  払掃体                          ７  突部
【図１】
0003641083.tif 000002
【図２】
0003641083.tif 000003
【図３】
0003641083.tif 000004
【図４】
0003641083.tif 000005